(57)【要約】      （修正有）【課題】ステッキと各種色彩、模様、図柄がマッチする折畳みステッキの収拾ヘッドを提供する。【解決手段】折畳みステッキの収拾ヘッドは、被覆部１、収縮部２及び連接部３を含み、被覆部は収縮部及び連接部を固定して一体にする。被覆部は筒体で、その外筒面には各種色彩、模様、図柄を被覆設置する。収縮部は筒体で、先端２１の直径は被覆部の外径と同じであり、収縮部内筒断面は内向きに収縮する錐形で，錐形上にはネジ紋２２を成形し、収縮部の外筒直径は被覆部の内径と同じである。連接部は筒体で、先端３１の直径は被覆部の外径と同じであり、連接部の直径は被覆部の内径と同じである。被覆部は、金属管材、ガラス繊維、反射布等である。【選択図】図１
0003211536.tif 000002
【実用新案登録請求の範囲】
【請求項１】
折畳みステッキの収拾ヘッドにおいて、
被覆部、収縮部及び連接部を含み、被覆部は収縮部及び連接部を固定して一体にすることを特徴とする折畳みステッキの収拾ヘッド。
【請求項２】
前記被覆部は、金属管材もしくは複合材の筒体であり、その外筒面には各種色彩、模様、図柄を被覆設置することを特徴とする請求項１記載の折畳みステッキの収拾ヘッド。
【請求項３】
前記収縮部は筒体で、それは先端を有し、先端の直径は被覆部の外径と同じであり、収縮部内筒断面は内向きに収縮する錐形で，錐形上にはUネジ紋を設置し、収縮部の外筒直径は被覆部の内径と同じであることを特徴とする請求項１記載の折畳みステッキの収拾ヘッド。
【請求項４】
前記連接部は筒体で、それは先端を有し、先端の直径は被覆部の外径と同じであり、連接部の直径は被覆部の内径と同じであることを特徴とする請求項１記載の折畳みステッキの収拾ヘッド。
【請求項５】
前記金属管材もしくは複合材の被覆部外部は、紡績品、反射布で被覆することを特徴とする請求項２記載の折畳みステッキの収拾ヘッド。
【考案の詳細な説明】
【技術分野】
【０００１】
本考案は、人々の日常生活用品に関するもので、長さを調整する折畳みステッキの収拾ヘッドに係る。
【背景技術】
【０００２】
ステッキは、主に歩行者の補助に用いる。異なる使用者は身長も異なるため、使用するステッキの長さ異なり、故に折り畳め、伸縮するステッキが市場に出ている。
折り畳んで収拾及び携帯でき、且つ必要に応じてステッキの使用する長さを調整することで、異なる身長の人々に対応できる。従来のステッキの伸縮定位調整は、第二桿体を第一桿体の中孔内に挿入し、第二桿体上には径方向外向きに弾性定位ボタンを設置し、第一桿体上には異なる高さの定位孔を設置し、第二桿体に挿入した時、その定位ボタンが突出して定位し、長短伸縮を実現する。
更に収拾ヘッド一端が錐状ネジ紋の収縮口で第一桿体端口のやや縦向きの切断槽が内向きに収縮することによって、第一桿体と第二桿体を圧迫して全体を固定する。
【先行技術文献】
【特許文献】
【０００３】
【特許文献１】特開２０１６−１５９０４７
【考案の概要】
【考案が解決しようとする課題】
【０００４】
解決しようとする問題点は、収拾ヘッドはプラスチック部品であるため、一体成型であり、その加工の特性は決定されていて、成型後の製品は単色の製品である。今日生産される折畳み伸縮のステッキ製品は、各種色彩、模様、図柄はどれも皆同じであり、単色の収拾ヘッドは目立ちすぎ、製品全体とマッチせず、製品のレベルが下がる点である。
【課題を解決するための手段】
【０００５】
本考案は、被覆部、収縮部及び連接部を含み、被覆部は収縮部及び連接部を固定して一体にする。該被覆部は筒体で、その外筒面には各種色彩、模様、図柄を被覆設置する。
該収縮部は筒体で、それは先端を有し、先端の直径は被覆部の外径と同じであり、収縮部内筒断面は内向きに収縮する錐形で、錐形上にはネジ紋を成形し、収縮部の外筒直径は被覆部の内径と同じである。該連接部は筒体で、それは先端を有し、先端の直径は被覆部の外径と同じであり、連接部の直径は被覆部の内径と同じである。
該被覆部は、金属管材、ガラス繊維、反射布とすることを最も主要な特徴とする。
【考案の効果】
【０００６】
本考案の折畳みステッキの収拾ヘッドは、ステッキと各種色彩、模様、図柄がマッチするという利点がある。
【図面の簡単な説明】
【０００７】
【図１】本考案の立体図である。
【図２】本考案の構造指示図である。
【図３】本考案の実施例指示図である。
【考案を実施するための形態】
【０００８】
現在の技術問題を改善し、ステッキと各種色彩、模様、図柄がマッチする折畳みステッキの収拾ヘッドを提供することを本考案の目的とするが、以下、図面に沿って本考案の実施例を説明する。
【０００９】
本考案は、以下の技術案を実現する折畳みステッキの収拾ヘッドであり、被覆部、収縮部及び連接部を含み、被覆部は収縮部及び連接部を固定して一体にする。該被覆部は筒体で、その外筒面には各種色彩、模様、図柄を被覆設置する。
【００１０】
該収縮部は筒体で、それは先端を有し，先端の直径は被覆部の外径と同じであり、収縮部内筒断面は内向きに収縮する錐形で，錐形上にはネジ紋を成形し、収縮部の外筒直径は被覆部の内径と同じである。
【００１１】
該連接部は筒体で、それは先端を有し，先端の直径は被覆部の外径と同じであり、連接部の直径は被覆部の内径と同じである。該被覆部は金属管材、複合材である。
【００１２】
該金属管材もしくは複合材の被覆部外部は紡績品、木材、反射布で被覆する。
【００１３】
本考案は、単一色の収拾ヘッド表面を改め、ステッキとマッチする各種色彩、模様、図柄を備え、製品のレベルを大きく向上させ、且つ緊締の桿体形状に応用する。
【実施例】
【００１４】
図１〜３に示すとおり、折畳みステッキの収拾ヘッドは、被覆部１、収縮部２及び連接部３を含み、被覆部１は収縮部２及び連接部３を連接して一体にする。
【００１５】
該被覆部１は筒体で、その外筒面には各種色彩、模様、図柄を被覆設置する。
【００１６】
該収縮部２は筒体で、それは先端２１を有する。先端２１の直径は被覆部１の外径と同じである。収縮部２の内筒断面は内向きに収縮する錐形で，錐形上にはネジ紋２２を設置し、収縮部２の外筒直径は被覆部１の内径と同じである。
【００１７】
該連接部３は筒体で、それは先端３１を有する。先端３１の直径は被覆部１の外径と同じであり、連接部３の直径は被覆部１の内径と同じである。該被覆部１は金属管材、複合材である。
【００１８】
該金属管材もしくは複合材の被覆部外部は、紡績品、木材、反射布で被覆する。
【００１９】
本考案を実施する時、第二桿体５は、第一桿体４の中孔内に挿入する。第二桿体５上は径方向外向きに弾性定位ボタンを設置し、第一桿体４上には異なる高さの定位孔を設置し、第二桿体５を挿入する時、その定位ボタンの凸部を掛合し、長短伸縮調整を実現する。
本考案は第一桿体４の端部に嵌合することで、本考案を回転し、更に収縮部２の錐状ネジ紋の収縮口によって第一桿体４端口のやや縦向きの切断槽を内向きに収縮させ、第一桿体を圧迫して第二桿体と共に一体にして固定する。
【００２０】
被覆部１の外筒は、塗装、スクリーン印刷等多種の方式で美化作業を行い、次にそれと収縮部２及び連接部３を固定して一体にし、収拾ヘッドと桿体、ステッキの色彩がマッチしない問題を根本から解決する。
【００２１】
また、金属管材もしくは複合材の被覆部１外部は紡績品、木材、反射布等繊維材で被覆し、被覆部１は更に多くの選択性を備える。
【符号の説明】
【００２２】
１    被覆部
２    収縮部
２１    先端
２２    ネジ紋
３    連接部
３１    先端
４    第一桿体
５    第二桿体
【図１】
0003211536.tif 000003
【図２】
0003211536.tif 000004
【図３】
0003211536.tif 000005